(57)【要約】【課題】接点の接触不良を防止したスイッチを提供する。【解決手段】スイッチ１０は、基板２２上に設けられた固定接点２３，２４と、弾性体で構成され、固定接点２３，２４に対向する端面を有し、端面に導電性材料を印刷した可動部２７，２８とを有する。可動部２７，２８には、可動部２７，２８の固定接点側端面の外縁部の一部を切り欠いて、可動部２７，２８の端面から側面に向かう平面状の傾斜部２７ｂ，２７ｃ，２８ｂ，２８ｃが設けられる。【選択図】図７
2010123261.tif 000002
【特許請求の範囲】
【請求項１】
鍵盤装置の各鍵ごとに設けられたスイッチであって、
基板上に設けられた固定接点と、
弾性体で構成され、前記固定接点に対向する端面を有し、前記端面に導電性材料を印刷した可動部とを有するスイッチにおいて、
前記可動部における前記固定接点側端面の外縁部の一部を切り欠いて、前記端面から前記可動部の側面に向かう平面状の傾斜部を設けたことを特徴とするスイッチ。
【請求項２】
前記傾斜部は、前記鍵の前後方向における前記可動部の前記固定接点側端面の外縁部に設けられていることを特徴とする請求項１に記載のスイッチ。
【請求項３】
前記傾斜部は、前記鍵の横方向における前記可動部の前記固定接点側端面の外縁部に設けられていることを特徴とする請求項１に記載のスイッチ。
【請求項４】
前記傾斜部に、さらに凹部を設けたことを特徴とする請求項１乃至３のうちのいずれか一つに記載のスイッチ。
【発明の詳細な説明】
【技術分野】
【０００１】
本発明は、電子楽器の鍵盤装置に用いられるスイッチであって、基板上に形成された固定接点に対向して配設され、導電性材料を印刷した可動部が固定接点に接触して、固定接点が短絡することにより通電状態になるスイッチに関する。
【背景技術】
【０００２】
この種のスイッチにおいて、従来から、例えば下記特許文献１に示されているように、可動部の端面の弾性変形を利用して接点の接触面積を広くすることにより、接触不良を防止したスイッチは知られている。このスイッチは、ゴム、シリコンなどの弾性体で円柱状の可動部を形成し、その端面を球面状に形成している。そして、可動部の端面に導電性材料を印刷して可動接点を形成している。スイッチが押圧されると、可動接点が基板に点接触する。その後、接触部分の可動接点が平面状に弾性変形して、接触面積が拡大され、固定接点が短絡する。これにより、スイッチの接触不良を防止している。
【特許文献１】登録実用新案第２５５３１５５号公報
【発明の開示】
【発明が解決しようとする課題】
【０００３】
上記従来のスイッチは、押鍵に伴って揺動する押圧部材によりスイッチを押圧するように構成される。押圧部材が揺動するため、押圧部材は基板面に対して僅かに平行移動している。また、押圧部材の構造、加工精度などによって、押圧部材の位置が基板面に平行な方向にずれることがある。また、鍵盤装置の機能により、押圧部材が基板面に対して平行移動することもある。これらの場合、スイッチが斜めに押圧されることがある。すると、可動接点が基板に対して傾斜し、可動接点の外縁部が基板と点接触する。この場合、可動接点の外縁部は弾性変形し難いので、接触面積が広くならない。そのため、固定接点が短絡せず接触不良となることがあった。
【０００４】
本発明は上記問題に対処するためになされたもので、その目的は、接点の接触不良を防止した鍵盤装置用スイッチを提供することにある。
【課題を解決するための手段】
【０００５】
上記目的を達成するために、本発明の特徴は、鍵盤装置の各鍵ごとに設けられたスイッチであって、基板上に設けられた固定接点と、弾性体で構成され、固定接点に対向する端面を有し、端面に導電性材料を印刷した可動部とを有するスイッチにおいて、可動部における固定接点側端面の外縁部の一部を切り欠いて、端面から可動部の側面に向かう平面状の傾斜部を設けたことにある。スイッチを押圧する押圧部材の位置が、前後方向（鍵の長手方向に平行）にずれる場合、及び押圧部材が前後方向に移動する場合、鍵の前後方向における可動部の固定接点側端面の外縁部に傾斜部を設けるとよい。すなわち、可動部の前側及び後側に平面状の傾斜部を設けるとよい。また、押圧部材の位置が左右方向（鍵の幅方向）にずれる場合、及び押圧部材が左右方向に移動する場合、鍵の横方向における可動部の固定接点側端面の外縁部に傾斜部を設けるとよい。すなわち、可動部の右側及び左側に平面状の傾斜部を設けるとよい。
【０００６】
上記のように構成したスイッチにおいては、可動部の端面に傾斜した平面が設けられ、その表面に導電性材料が印刷される。印刷された導電性材料は表面張力の影響により凸状となるが、その曲率は小さく平面に近い。そのため、押圧部材が揺動することにより僅かに基板面に対して平行移動してスイッチが斜めに押圧されても、接点の接触面積を十分に確保できる。したがって、スイッチの接触不良を防止できる。また、押圧部材の構造、加工精度、鍵盤の機能などにより、押圧部材が基板面に対して平行移動してスイッチが斜めに押圧された場合は特に有効である。
【０００７】
また、本発明の他の特徴は、傾斜部にさらに凹部を設けたことにある。
【０００８】
このように構成しておけば、印刷される導電性材料によって形成される凸部の曲率をより小さくでき、接点の接触面積をより広く確保できる。したがって、スイッチの接触不良をより確実に防止できる。
【発明を実施するための最良の形態】
【０００９】
以下、本発明の実施形態について図面を用いて説明する。図１は、本発明に係るスイッチ１０の正面図であり、図２は、スイッチ１０の平面図である。図３は、図１及び図２に示すスイッチ１０を適用した鍵盤装置の縦断側面図である。
【００１０】
複数の鍵１１は所定数ずつ（例えば白鍵ならば３つ又は４つずつ、黒鍵ならば５つずつ）複数のグループに分けられている。各グループに属する鍵１１は、鍵ユニット１２として樹脂により一体成型されている。各鍵ユニット１２においては、複数の鍵１１が、各鍵１１の後端部から下方にそれぞれ延設された前後方向に薄肉の延設部１３をそれぞれ介して、横方向に延設されて前後方向に薄肉の連結部１４に共通に接続されている。複数の鍵ユニット１２の連結部１４は、前後に重ねられて鍵フレーム１５の後部にねじ１６により固定されている。この構成により、各鍵１１は、それらの前端部を延設部１３の弾性変形により上下方向に揺動可能にして、連結部１４にて鍵フレーム１５に支持されている。
【００１１】
鍵フレーム１５は、複数の鍵１１の下方にて横方向に延設されている。鍵フレーム１５は金属又は樹脂の一体成型により、又は金属及び樹脂との複合により、適宜凹凸を有する板状に構成された部材である。鍵１１は、中間部位置にて、それらの下面からストッパ片１７を下方に一体的に延設させている。このストッパ片１７は、下部を後方へ屈曲させた突出部１７ａを有する。突出部１７ａは、鍵フレーム１５の縦壁部に設けた開口部１８から後方へ侵入し、鍵１１の前部の上下方向の変位を許容する。開口部１８を含む縦壁部の後面側上部には、鍵１１の前端部の上限位置を規定する上限ストッパ１９が固着されている。一方、開口部１８を含む縦壁部の上端から後方へ向かう水平部上面には、鍵１１の前端部の下限位置を規定する下限ストッパ２０が固着されている。上限ストッパ１９及び下限ストッパ２０は、横方向（紙面に垂直方向）に延設された長尺状かつ平板状の緩衝材（例えばフェルト）で構成されて、突出部１７ａ及び鍵１１の下面との衝突による衝撃を緩和するようになっている。
【００１２】
鍵１１のストッパ片１７の後方位置には、スイッチ駆動部２１がそれぞれ設けられている。スイッチ駆動部２１の下方の鍵フレーム１５上には、基板２２が固着されている。図４（Ａ）に示すように、基板２２上には、第１固定接点２３及び第２固定接点２４が設けられている。図４（Ｂ）に示すように、第１固定接点２３は一対の櫛歯状の電極２３ａ及び電極２３ｂからなる。電極２３ａは、櫛歯状電極部２３ａ１，２３ａ２を有し、電極２３ｂは、櫛歯状電極部２３ｂ１，２３ｂ２を有する。電極２３ａ及び電極２３ｂは対向しており、電極２３ａの櫛歯状電極部２３ａ１，２３ａ２と電極２３ｂの櫛歯状電極部２３ｂ１，２３ｂ２が交互に隣り合うように平行に形成されている。また、櫛歯状電極部２３ａ１，２３ａ２，２３ｂ１，２３ｂ２は、鍵１１の前後方向（長手方向）に延設されている。なお、櫛歯状電極部２３ａ１，２３ａ２，２３ｂ１，２３ｂ２は、図４（Ｃ）に示すように、鍵１１の横方向（幅方向）に延設されていてもよい。第２固定接点２４も、第１固定接点２３と同様の一対の櫛歯状の電極２４ａ及び電極２４ｂからなる。この第１固定接点２３及び第２固定接点２４は、スイッチ１０に含まれる。
【００１３】
スイッチ１０は、ゴム、シリコンなどの弾性部材によって一体成型される。図４（Ａ）に示すように、スイッチ１０は、スイッチ駆動部２１によって押圧される被駆動部２５を有する。被駆動部２５の上面は、離鍵状態におけるスイッチ駆動部２１の下面と平行となるように、前部に比べて後部が低くなっている。被駆動部２５の下方にはスカート部２６が形成される。スカート部２６はスカート上部２６ａ及びテーパ部２６ｂからなる。スカート上部２６ａは、大きな曲率（曲面の曲がりの程度をいい、曲率が大きいほど湾曲が急になる。）を有する湾曲部であって、スカート上部２６ａの上部が被駆動部２５の下端に接続される。そして、スカート上部２６ａの下端から、さらに下方に向かうほどテーパ状に広がったテーパ部２６ｂが設けられる。また、スカート部２６の内側には、鍵１１に対応して前後に配置した一対の第１可動部２７及び第２可動部２８が設けられている。
【００１４】
図５に、第１可動部２７及び第２可動部２８を縦断して高音部側（演奏者から見て右側）から見た図を示す。また、図６に第１可動部２７及び第２可動部２８の下端の下面図を示す。第１可動部２７及び第２可動部２８は、図５に示すように、下方に向かうほど直径が小さくなる円錐台状部分とその下端から下方へ突出した円柱状部分からなる。第１可動部２７の下端面は、図５及び図６に示すように、平面状に形成された第１平面部２７ａ、並びに円柱状部分の下端面から前側及び後側の側面に向かう平面状の第１傾斜部２７ｂ，２７ｃからなる。第１傾斜部２７ｂ，２７ｃは、第１可動部２７の円柱状部分の前側部分と後側部分を僅かに切り欠いて形成される左右方向に延設された平面であり、その面積は小さい。言い換えれば、第１傾斜部２７ｂ，２７ｃは、鍵１１の前後方向における第１可動部２７の電極２３ａ，２３ｂ側の外縁部に設けられている。第２可動部２８の下端面も、第１可動部２７と同様な第２平面部２８ａ及び第２傾斜部２８ｂ，２８ｃからなる。
【００１５】
鍵１１を押鍵すると、延設部１３が弾性変形して前方へ湾曲する。そして、鍵１１の前端は、延設部１３の前方に位置し、横方向（図３において紙面に垂直方向）に平行な揺動軸を中心として上下方向に揺動する。そのため、第１可動部２７及び第２可動部２８の下端面も円弧状の軌跡を描いて移動する。スイッチ１０の接触不良を防止するためには、接点の接触面積をできるだけ大きくする必要がある。そのためには、接点面が平行に接触すればよい。これを実現するため、本実施形態においては、後述の第１可動接点凸部２９ａ及び第２可動接点凸部３０ａがそれぞれ第１固定接点２３及び第２固定接点２４に当接するときの鍵１１の回動角度と同じ角度（図４（Ｄ）において、それぞれθ１，θ２）だけ、離鍵状態における第１可動部２７及び第２可動部２８の下端面を前部が後部よりも高くなるように傾斜させている。
【００１６】
図７に示すように、第１可動部２７及び第２可動部２８の下端面に導電性材料（例えばカーボンインク）が印刷され、第１可動接点２９及び第２可動接点３０が設けられる。ここで、導電性材料の「印刷」とは、スクリーン印刷、ピンによる塗布などをいう。印刷工程において、導電性材料が第１可動部２７及び第２可動部２８の端面に薄い膜状に付着する。第１平面部２７ａ及び第２平面部２８ａには、導電性材料の表面張力の影響により、それぞれ緩やかな凸状の第１可動接点凸部２９ａ及び第２可動接点凸部３０ａが形成される。第１傾斜部２７ｂ，２７ｃ及び第２傾斜部２８ｂ，２８ｃ上においても、それぞれ緩やかな凸状の第１可動接点傾斜部２９ｂ，２９ｃ及び第２可動接点傾斜部３０ｂ，３０ｃが形成される。
【００１７】
スカート部２６の下端には、台座部３２が設けられ、その下面から複数の突起状の脚部３３が延設されている。脚部３３が、基板２２に設けられた図示しない貫通孔に嵌挿されることにより、スイッチ１０が基板２２に取り付けられる。第１可動部２７及び第２可動部２８は、それぞれ第１固定接点２３及び第２固定接点２４の上方に位置し、それぞれが対向した状態となる。そして、第１可動接点２９及び第１固定接点２３が第１スイッチＳＷ１を構成し、第２可動接点３０及び第２固定接点２４が第２スイッチＳＷ２を構成する。
【００１８】
第１可動部２７は第２可動部２８よりも長く形成され、第１可動接点２９の下端は第２可動接点３０の下端よりも低くなっている。そのため、被駆動部２５が押圧されてスカート部２６が弾性変形すると、最初に第１可動接点２９が第１固定接点２３に接触し、次に第２可動接点３０が第２固定接点２４に接触する。すなわち、第１スイッチＳＷ１及び第２スイッチＳＷ２がこの順に通電状態になる。これは、第１スイッチＳＷ１が通電状態になってから第２スイッチＳＷ２が通電状態になるまでの時間を計測することにより、押健時における鍵タッチ強さ（押鍵速度）を検出するためである。そして、第２スイッチＳＷ２が通電状態になった時点で、前記鍵タッチ強さで楽音信号が発生され始める。
【００１９】
次に、上記のように構成したスイッチ１０の動作について説明する。離鍵時においては、延設部１３及びスイッチ１０の弾性力によって、鍵１１の前端が上方へ付勢されている。これにより、突出部１７ａの上面が上限ストッパ１９の下面に当接して鍵１１は静止し、各鍵１１の上面が同一平面上にある（図３）。鍵１１を押鍵すると、延設部１３が前方へ湾曲する。そして、鍵１１は、延設部１３の前方の揺動中心を中心として、図３において反時計回りに回転する。鍵１１の回転に伴いスイッチ駆動部２１が被駆動部２５を押圧し、スイッチ１０の上下方向の変形量が増加する。その後、第１可動接点凸部２９ａが第１固定接点２３の電極２３ａ又は２３ｂに当接する。鍵１１、スイッチ１０及び基板２２の取り付け位置の誤差、これらの寸法のばらつきなどによっては、第１可動接点凸部２９ａは、電極２３ａ又は２３ｂの近傍の基板面に当接することもある。その後、第１可動接点凸部２９ａが押圧されることにより、接触部分が多少弾性変形して円形の平面状になり、接触面積が増大する。そして、第１可動接点２９が電極２３ａ及び電極２３ｂの双方に接触して、第１固定接点２３が短絡する。
【００２０】
この鍵盤装置においては、延設部１３が前後方向に薄肉かつ左右方向に幅広の薄板状になっている。そのため、押鍵時において、鍵１１に前後方向の力が加わると、鍵１１が前後方向にずれることがある。この場合、第１可動接点２９の下面が基板２２の上面に対して傾斜して当接する。すると、第１可動接点傾斜部２９ｂ又は２９ｃが電極２３ａ又は電極２３ｂに当接する。ずれの程度によっては、第１可動接点傾斜部２９ｂ又は２９ｃは、第１固定接点２３の近傍の基板面に当接することもある。例えば、鍵１１が前方にずれた場合、被駆動部２５の前部が押圧されるので、第１可動部２７は、その下端の後端部が後側上方へ持ち上げられるように傾斜する。そのため、第１可動接点傾斜部２９ｂが電極２３ａもしくは電極２３ｂ又はそれらの近傍の基板面に当接する。一方、鍵１１が後方にずれた場合、被駆動部２５の後部が押圧されるので、第１可動部２７は、その下端の前端部が前側上方へ持ち上げられるように傾斜する。そのため、第１可動接点傾斜部２９ｃが電極２３ａもしくは電極２３ｂ又はそれらの近傍の基板面に当接する。
【００２１】
前述のとおり、第１可動接点傾斜部２９ｂ,２９ｃは表面張力の影響により、緩やかな凸状に形成されているが、電極２３ａもしくは電極２３ｂ又はそれらの近傍の基板面と当接して押圧されると、凸部が平面状に多少弾性変形する。第１傾斜部２７ｂ，２７ｃは平面状に形成されるので、第１可動接点傾斜部２９ｂ，２９ｃは、第１可動部２７の円柱状部分の曲率の影響を受けない。そのため、第１可動接点傾斜部２９ｂ，２９ｃの凸部は、導電性材料の表面張力のみの影響により、平面に近い小さな曲率で形成され、弾性変形により、さらに接点の接触面積が大きくなり、第１固定接点２３が短絡する。第１可動接点傾斜部２９ｂ，２９ｃは、左右方向に延設されているから、櫛歯状電極部２３ａ１，２３ａ２，２３ｂ１，２３ｂ２は、図４（Ｂ）に示すように、前後方向（すなわち、第１可動接点傾斜部２９ｂ，２９ｃの延設方向に垂直な方向）に延設すると、接点の接触面積をより広く確保できる。これは、第２固定接点２４についても同様である。
【００２２】
その後、鍵１１の揺動角度がさらに増大すると、第１可動接点２９が第１固定接点２３に当接するのと同様に、第２可動接点３０が第２固定接点２４に当接し、第２固定接点２４が短絡する。そして、鍵１１の前部下面が下限ストッパ２０の上面に当接すると鍵１１の回転が停止する。鍵１１が離鍵されると、延設部１３及びスイッチ１０の弾性力によって鍵１１の前端が上方へ付勢される。そして、鍵１１は、その揺動中心を中心として、図３において時計回りに回転する。突出部１７ａの上面が上限ストッパ１９の下面に当接すると、鍵１１は静止し、元の位置（図３）に復帰する。
【００２３】
上記のように構成したスイッチ１０においては、鍵１１が、押鍵時に前後方向にずれても、第１可動接点傾斜部２９ｂ，２９ｃ及び第２可動接点傾斜部３０ｂ，３０ｃが、第１固定接点２３及び第２固定接点２４又はそれらの近傍の基板面に当接して弾性変形する。上述の通り、第１可動接点傾斜部２９ｂ，２９ｃ及び第２可動接点傾斜部３０ｂ，３０ｃの凸部の曲率は小さいので、十分に接点の接触面積を確保することができる。したがって、第１固定接点２３及び第２固定接点２４が確実に短絡するので、スイッチ１０の接触不良を防止できる。
【００２４】
ここで、比較のために、第１傾斜部２７ｂ，２７ｃに代えて、第１可動部２７の下端外周に面取り部３４を設けた例を図８に示す。この場合、面取り部３４は円錐台形状の側面部であるから円錐部の曲率に応じた凸状の曲面となる。したがって、面取り部３４に導電性材料を印刷して形成される凸形状の曲率は、円錐部の曲率と導電性材料の表面張力の影響を共に受けるため、第１可動接点傾斜部２９ｂ，２９ｃの曲率よりも著しく大きくなる。この場合、背景技術の項で述べたような点接触が起こる場合に比べると、接点の接触面積は増えるが、それでも接触面積が十分でなく、第１固定接点２３が短絡しないことがある。これに比べて、本実施形態のように、平面状の第１傾斜部２７ｂ，２７ｃに導電性材料を印刷すれば、凸形状の曲率を小さくし、より平面に近い形状にすることができる。そのため、接点の接触面積を十分に確保できるので、第１固定接点２３が短絡する。これは、第２傾斜部２８ｂ，２８ｃについても同様である。
【００２５】
なお、上記実施形態においては、押鍵時に鍵１１が前後方向にずれることを考慮して、第１可動部２７及び第２可動部２８の前側及び後側にそれぞれ第１傾斜部２７ｂ，２７ｃ及び第２傾斜部２８ｂ，２８ｃを設けた。しかし、傾斜部を設ける位置はこれに限られるものではない。例えば、鍵ユニット１２の取り付けの作業性向上のため左右方向の取り付け位置にある程度の幅を持たせることにより、鍵１１の位置が左右方向に僅かにずれることがある。この場合、第１可動部２７及び第２可動部２８の下端に、前後方向に延設された平面状の傾斜部をさらに設けてもよい。すなわち、第１可動部２７及び第２可動部２８の左側及び右側にさらに平面状の傾斜部を設けてもよい。このように構成しておけば、鍵１１の取り付け位置が左右方向にずれて、第１可動部２７及び第２可動部２８が基板２２に対して傾斜しても、接点の接触面積を十分に確保することができ、第１固定接点２３及び第２固定接点２４が確実に短絡するので、スイッチ１０の接触不良を防止できる。
【００２６】
また、図９に示すように、各鍵３５を左右方向にも揺動可能に構成し、鍵３５に加えられる左右方向の力及び変位を、図示しないセンサ（例えば歪ゲージ）によって検出し、そのデータに基づいて楽音の発生態様を制御するようにした鍵盤装置にスイッチ１０を適用してもよい。図９の鍵盤装置の構成は、図３に示す鍵盤装置とほぼ同じであるので、共通する部分には同じ符号を付してその説明を省略する。複数の鍵３５は所定数ずつ（例えば白鍵ならば３つ又は４つずつ、黒鍵ならば５つずつ）複数のグループに分けられている。各グループに属する鍵３５は、鍵ユニット３６として樹脂により一体成型されている。鍵ユニット３６の例を図１０に示す。図１０においては、白鍵について示すが、黒鍵についても同様の構成である。図１０に示すように、鍵ユニット３６においては、各鍵３５の後端部から後方にそれぞれ延設された垂直方向に薄肉の水平延設部３７が設けられる。各水平延設部３７の後端は、横方向に延設され、前後方向に薄肉の縦壁部３８にそれぞれ接続される。各縦壁部３８の後面側には、前後方向に延設され、横方向に薄肉の垂直延設部３９がそれぞれ設けられる。各垂直延設部３９の後端は、横方向に延設され、前後方向に薄肉の縦壁部４０にそれぞれ接続される。各縦壁部４０の後面は、横方向に延設されて垂直方向に薄肉の連結部４１に共通に接続される。複数の鍵ユニット３６の連結部４１は、上下に重ねられて鍵フレーム１５の後部にねじ４３により固定されている。この構成により、各鍵３５は、それらの前端部を水平延設部３７の弾性変形により上下方向に揺動可能かつ垂直延設部３９の弾性変形により左右方向に揺動可能にしている。ただし、その左右方向の揺動範囲は、隣り合う鍵３５との間の僅かな隙間の範囲であり、微少である。
【００２７】
この場合、第１可動部２７及び第２可動部２８の下端に、前後方向（鍵の長手方向に平行）に延設された平面状の傾斜部を設けるとよい。すなわち、第１可動部２７及び第２可動部２８の左側及び右側に平面状の傾斜部を設けるとよい。このように構成しておけば、押鍵時に鍵３５が左右方向に揺動して、第１可動部２７及び第２可動部２８が基板２２に対して左右方向に傾斜しても、接点の接触面積を十分に確保することができ、第１固定接点２３及び第２固定接点２４が確実に短絡するので、スイッチ１０の接触不良を防止できる。
【００２８】
また、上記実施形態及びその変形例においては、第１傾斜部２７ｂ，２７ｃ及び第２傾斜部２８ｂ，２８ｃを平面状にした。これに加えて、第１傾斜部２７ｂ，２７ｃ及び第２傾斜部２８ｂ，２８ｃに凹部を設けてもよい。第１傾斜部２７ｂ，２７ｃ及び第２傾斜部２８ｂ，２８ｃの面積は小さいので、凹部を設けると傾斜部のほぼ全面が凹状に形成されることになるが、このように構成しておけば、印刷される導電性材料によって形成される凸部の曲率をより小さくでき、接点の接触面積をより広く確保できる。したがって、スイッチの接触不良をより確実に防止できる。
【００２９】
また、上記スイッチ１０においては、第１固定接点２３の電極２３ａは、２本の櫛歯状電極部２３ａ１及び２３ａ２を有するようにした。しかし、これに限られるものではなく、より多く（３本以上）の櫛歯状電極部を有するようにしてもよい。この場合、電極２３ｂ，２４ａ，２４ｂも電極２３ａの櫛歯状電極部と同じ数だけ櫛歯状電極部を有するようにすればよい。単位面積あたりの櫛歯状電極部の数を多くすれば、さらに接点の接触面積を広くすることができ、より確実に接点の接触不良を防止することができる。
【図面の簡単な説明】
【００３０】
【図１】本発明の一実施形態に係るスイッチの正面図である。
【図２】図１のスイッチの平面図である。
【図３】図１のスイッチを適用した鍵盤装置の縦断側面図である。
【図４】（Ａ）は、図１のスイッチの詳細断面図である。（Ｂ）及び（Ｃ）は、固定接点の電極を示す図である。（Ｄ）は、離鍵時における図１のスイッチの可動部の傾斜角度を示す図である。
【図５】図４の可動部を縦断して高音部側から見た図である。
【図６】図４の可動部の下面図である。
【図７】図４の可動接点を縦断して高音部側から見た図である。
【図８】図１のスイッチとの比較のために、可動部に面取りを設けた例を示す図である。
【図９】本発明の変形例に係るスイッチを適用した鍵盤装置の縦断側面図である。
【図１０】図９の鍵盤装置の鍵ユニットを示す図である。
【符号の説明】
【００３１】
１０・・・スイッチ、２２・・・基板、２３・・・第１固定接点、２４・・・第２固定接点、２７・・・第１可動部、２７ｂ，２７ｃ・・・第１傾斜部、２８・・・第２可動部、２８ｂ，２８ｃ・・・第２傾斜部
【図１】
2010123261.tif 000003
【図２】
2010123261.tif 000004
【図３】
2010123261.tif 000005
【図４】
2010123261.tif 000006
【図５】
2010123261.tif 000007
【図６】
2010123261.tif 000008
【図７】
2010123261.tif 000009
【図８】
2010123261.tif 000010
【図９】
2010123261.tif 000011
【図１０】
2010123261.tif 000012